(57)【要約】【課題】居室に隣接してトイレが配置されている場合に、トイレに出入りするための開口部を戸によって開閉でき、かつ、戸の全開状態において開口部を車椅子が通れる住宅を提供する。【解決手段】居室２とトイレ１とを仕切る壁に、トイレ１に出入りするための開口部１ａが設けられ、この開口部１ａの縁部に当該開口部１ａを開閉する折り戸２０が取り付けられ、開口部１ａの幅から折り畳んだ状態の折り戸２０の厚さを減じた長さＬ１が車椅子８の幅Ｌ２より長くなっているので、折り戸２０によって、開口部１ａを容易に開閉できるとともに、開口部１ａを車椅子８によって容易に通ることができる。【選択図】図２
2011196034.tif 000002
【特許請求の範囲】
【請求項１】
居室に隣接してトイレが配置されている住宅において、
前記居室と前記トイレとを仕切る壁に、前記トイレに出入りするための開口部が設けられており、
この開口部の縁部に当該開口部を開閉する折り戸が取り付けられており、
前記開口部の幅から折り畳んだ状態の前記折り戸の厚さを減じた長さが車椅子の幅より長くなっていることを特徴とする住宅。 
【請求項２】
請求項１に記載の住宅において、
前記折り戸は回動可能に連結された二枚の第１折り戸部材と第２折り戸部材によって構成されており、
前記第１折り戸部材の幅が、前記第２折り戸部材の幅より短くなっており、
前記第１折り戸部材が前記開口部の縁部に回動可能に取り付けられていることを特徴とする住宅。 
【請求項３】
請求項１に記載の住宅において、
前記折り戸は回動可能に連結された二枚の第１折り戸部材と第２折り戸部材によって構成されており、
前記第１折り戸部材の幅が、前記第２折り戸部材の幅より長くなっており、
前記第１折り戸部材が前記開口部の縁に回動可能に取り付けられていることを特徴とする住宅。 
【請求項４】
請求項１〜３のいずれか一項に記載の住宅において、
前記折り戸が吊戸であることを特徴とする住宅。
【請求項５】
請求項１〜４のいずれか一項に記載の住宅において、
前記トイレの幅および長さが住宅の製作時の基準寸法であるモジュールの整数倍に設定されていることを特徴とする住宅。
【発明の詳細な説明】
【技術分野】
【０００１】
本発明は、居室に隣接してトイレが配置されている住宅に関する。
【背景技術】
【０００２】
居室に隣接してトイレが配置された住宅の一例として特許文献１に記載のものが知られている。
この住宅では、介護用第一室と介護用第二室とが隣接配置されており、介護用第一室にベッドが設置され、介護用第二室にトイレ、洗面台、シャワー、浴槽等が備えられている。
介護用第一室と介護用第二室とを仕切る壁に出入口となる開口部が設けられており、この開口部に開閉式の三つのスライドドアが設けられている。
【先行技術文献】
【特許文献】
【０００３】
【特許文献１】特開２００２−２２７４３４号公報
【発明の概要】
【発明が解決しようとする課題】
【０００４】
ところで、上記の従来の住宅では、介護用第二室は、トイレ、洗面台、シャワー、浴槽等が備えられており、比較的広い室であるので、介護用第一室との行き来を行うための開口部を比較的大きくでき、この開口部に三つのスライドドアを設けても車椅子等が行き来できる。
一方、独立したトイレを居室に隣接して設け、居室から直接トイレに出入りできるようにする場合、平面視におけるトイレの短辺側を居室と隣接させた方が、車椅子でトイレに直線的に出入りできるため、使い勝手がよい。
この場合、トイレと居室とを行き来するための開口部の幅が比較的狭くなるため、この開口部に複数のスライドドアを設けると、車椅子が通れなくなる場合がある。また、トイレと居室とを仕切る壁の両側が居室に出入するための出入口となっている場合等、開口部に引戸を設けることも難しいこともある。
【０００５】
本発明は上記事情に鑑みてなされたもので、居室に隣接してトイレが配置されている場合に、トイレに出入りするための開口部を戸によって開閉でき、かつ、戸の全開状態において開口部を車椅子が通れる住宅を提供することを課題としている。
【課題を解決するための手段】
【０００６】
上記課題を解決するために、請求項１に記載の発明は、例えば図１および図２に示すように、居室２に隣接してトイレ１が配置されている住宅において、
前記居室２と前記トイレ１とを仕切る壁に、前記トイレ１に出入りするための開口部１ａが設けられており、
この開口部１ａの縁部に当該開口部１ａを開閉する折り戸２０が取り付けられており、
前記開口部１ａの幅から折り畳んだ状態の前記折り戸２０の厚さを減じた長さＬ１が車椅子８の幅Ｌ２より長くなっていることを特徴とする。
【０００７】
請求項１に記載の発明によれば、居室２とトイレ１とを仕切る壁に設けられた開口部１ａの縁部に設けられた折り戸２０によって、開口部１ａを容易に開閉できる。
また、開口部１ａの幅から折り畳んだ状態の折り戸２０の厚さを減じた長さＬ１が車椅子８の幅Ｌ２より長くなっているので、開口部１ａを車椅子８によって容易に通ることができる。
【０００８】
請求項２に記載の発明は、例えば図２に示すように、請求項１に記載の住宅において、
前記折り戸２０は回動可能に連結された二枚の第１折り戸部材２０ａと第２折り戸部材２０ｂによって構成されており、
前記第１折り戸部材２０ａの幅が、前記第２折り戸部材２０ｂの幅より短くなっており、
前記第１折り戸部材２０ａが前記開口部１ａの縁部に回動可能に取り付けられていることを特徴とする。
【０００９】
請求項２に記載の発明によれば、第１折り戸部材２０ａと第２折り戸部材２０ｂとを畳んで、開口部１ａを全開状態にすると、第１折り戸部材２０ａがトイレ１内の壁に沿ってトイレ１内に位置し、第２折り戸部材２０ｂは第１の折り戸部材２０ａと平行となって端部が開口部１ａから居室２側に突出する。
トイレ１内に位置する第１折り戸部材２０ａの幅は第２折り戸部材２０ｂの幅より小さいので、折り畳んだ折り戸２０のトイレ内に位置する部分を小さくでき、よって、トイレ１内に手洗い台２３等を設置し易くなる。
また、第２折り戸部材２０ｂの端部が開口部１ａから突出するので、介護者等がトイレ１の外側の居室２から折り戸２０を閉じ易くなる。
【００１０】
請求項３に記載の発明は、例えば図３に示すように、請求項１に記載の住宅において、
前記折り戸２５は回動可能に連結された二枚の第１折り戸部材２５ａと第２折り戸部材２５ｂによって構成されており、
前記第１折り戸部材２５ａの幅が、前記第２折り戸部材２５ｂの幅より長くなっており、
前記第１折り戸部材２５ａが前記開口部１ａの縁部に回動可能に取り付けられていることを特徴とする。
【００１１】
請求項３に記載の発明によれば、第１折り戸部材２５ａと第２折り戸部材２５ｂとを畳んで、開口部１ａを全開状態にすると、第１折り戸部材２５ａおよび第２折り戸部材２５ｂがトイレ１内の壁に沿ってトイレ１内に位置し、トイレ１の開口部１ａから居室２側に突出することがない。
したがって、第１折り戸部材２５ａと第２折り戸部材２５ｂとを畳んで、開口部１ａを全開状態した際に、折り戸２５が居室２の邪魔になることがない。
【００１２】
請求項４に記載の発明は、請求項１〜３のいずれか一項に記載の住宅において、前記折り戸２０，２５が吊戸であることを特徴とする。
【００１３】
請求項４に記載の発明によれば、折り戸２０，２５が吊戸であるので、開口部１ａが位置する床面に凹凸を無くすることがき、よって、車椅子８でのトイレ１への出入りが行い易くなる。
【００１４】
請求項５に記載の発明は、請求項１〜４のいずれか一項に記載の住宅において、
前記トイレ１の幅および長さが住宅の製作時の基準寸法であるモジュールの整数倍に設定されていることを特徴とする。
【００１５】
請求項５に記載の発明によれば、トイレ１の幅および長さがモジュールの整数倍に設定されているので、住宅内でのトイレ１の位置を容易に決めることができ、また、モジュールの整数倍で幅が決められた折り戸２０，２５をトイレ１の幅に合せて容易に選択できる。
【発明の効果】
【００１６】
本発明によれば、居室とトイレとを仕切る壁に、トイレに出入りするための開口部が設けられ、この開口部の縁部に当該開口部を開閉する折り戸が取り付けられ、開口部の幅から折り畳んだ状態の折り戸の厚さを減じた長さが車椅子の幅より長くなっているので、折り戸によって、開口部を容易に開閉できるとともに、開口部を車椅子によって容易に通ることができる。
【図面の簡単な説明】
【００１７】
【図１】本発明に係る住宅の一例を示すもので、平面図である。
【図２】同、折り戸を備えたトイレを拡大した平面図である。
【図３】同、折り戸の構成が異なるトイレを拡大した平面図である。
【発明を実施するための形態】
【００１８】
以下図面を参照して本発明の実施の形態について説明する。
図１は本発明に係る住宅の一例を示す平面図である。この住宅は多数の住戸を備えた共同住宅の中の一つの住宅であり、単身者向けのものである。
この住宅の平面視におけるほぼ中央部には、トイレ１が配置されている。トイレ１の南側には、居室２が隣接して配置されており、この居室２の幅は住宅の東西の幅と等しくなっている。居室２は単身者用であるので寝室としても使用され、この居室２の南側にバルコニー３が配置されている。バルコニー３の左右端部（東西端部）には、開閉式の扉４，４が設けられており、該扉４，４は隣の住宅のバルコニーとの界壁となっている。このように界壁が扉４，４となっているので、力のあまりない高齢者や被介護者でも緊急の際に、扉４，４を開けて隣の住宅のバルコニーに入って助けを求めることができる。
【００１９】
前記トイレ１の東側には、通路６が配置されており、この通路６は居室２に繋がっている。なお、通路６の東側には収納所７が通路６に沿って配置されている。この収納所７の戸は引違い式の戸７ａになっており、戸７ａを開閉する際にこの戸７ａが車椅子８の通行を妨げないようになっている。
前記トイレ１の北側に隣接して洗面室１０が配置されており、この洗面室１０の北側に隣接して浴室１１が配置されている。また、洗面室１０の東西の幅は、トイレ１と通路６と収納所７を合わせた幅と等しくなっている。
【００２０】
通路６から洗面室１０に出入するための出入口１０ａの幅は、車椅子８が通行可能となるように車椅子８の幅より十分大きく設定されており、該出入口１０ａを開閉する戸は、引戸１０ｂとなっている。そして引戸１０ｂを開位置にすると、出入口１０ａが全開口するようになっている。また、洗面室１０の東側の壁に寄せて洗面台１０ｃが設けられており、西側の壁に寄せて、洗濯機置場１０ｄや棚１０ｅが設けられている。これら洗面台１０ｃ、洗濯機置場１０ｄ、棚１０ｅは、通路６の延長上には配置されておらず、これによって通路６を通ってきた車椅子８は、洗面室１０内を前記浴室１１に向けてスムーズに移動できる。
【００２１】
洗面室１０から浴室１１に出入するための出入口１１ａの幅は、車椅子８が通行可能となるように車椅子８の幅より十分大きく設定されており、該出入口１１ａを開閉する戸は、３連の引戸１１ｂとなっている。そして引戸１１ｂを開位置にすると、出入口１１ａが前記出入口１０ａとほぼ同幅で開口するようになっている。
また、通路６の延長上に、洗面室１０の出入口１０ａと、浴室１１の出入口１１ａとが一直線上に配置されている。
【００２２】
また、前記浴室１１の西側には玄関１２が配置されており、この玄関１２と浴室１１との間には収納所１３が配置されている。玄関１２の玄関土間１２ａと玄関ホール１２ｂとは段差がなく、玄関土間１２ａには、西側の壁に寄せてベンチ１４が設置されている。このベンチ１４に腰掛けて靴の着脱を行う。また、ベンチ１４の横には靴箱１５が設けられている。また、玄関戸１６は引戸となっており、引戸１６を開位置にすると、玄関出入口が全開口するようになっている。
【００２３】
玄関ホール１２ｂの南側に隣接して、キッチン１７が配置されており、このキッチン１７の南側に隣接して前記居室２が配置されている。また、キッチン１７の東側に隣接して前記トイレ１と洗面室１０が配置されている。
玄関ホール１２ｂとキッチン１７との境界にある出入口１８と、キッチン１７と居室２との境界にある出入口１９と、玄関出入口とは一直線上に配置されている。出入口１８を開閉する戸１８ａは引戸であり、該引戸１８ａを開位置にすると、出入口１８が全開口するようになっている。出入口１９を開閉する戸１９ａも引戸であり、該引戸１９ａを開位置にすると、出入口１９が全開口するようになっている。
また、キッチン１７には、西側の壁に寄せて収納所１７ａ、調理台１７ｂ、冷蔵庫置場１７ｃが設けられている。これら収納所１７ａ、調理台１７ｂ、冷蔵庫置場１７ｃは、出入口１８と出入口１９との間には配置されておらず、これによって玄関１２を通ってきた車椅子８は、キッチン１７内を居室２に向けてスムーズに移動できる。
【００２４】
前記居室２とトイレ１とを仕切る壁には、トイレ１の出入口となる開口部１ａが設けられている。この開口部１ａの一方の縦縁部には折り戸２０が回動可能に取り付けられている。
この折り戸２０は、図２に示すように、二枚の第１折り戸部材２０ａと第２折り戸部材２０ｂによって構成されており、これら第１折り戸部材２０ａと第２折り戸部材２０ｂとは、ヒンジ２０ｃによって回動可能に連結されている。
また、第１折り戸部材２０ａの幅が、第２折り戸部材２０ｂの幅より短くなっている。具体的には、第１折り戸部材２０ａの幅は、第２折り戸部材２０ｂの幅の約１／２となっている。
また、第１折り戸部材２０ａの側端部が開口部１ａの一方の縦縁部に回動可能に連結されている。
【００２５】
このような構成の折り戸２０は吊戸であり、開口部１ａの上端縁部に設けられたレールに、第１折り戸部材２０ａおよび第２折り戸部材２０ｂのそれぞれの上端面に取り付けられた摺動駒を摺動可能に係合することによって、上方から吊られた状態で開閉可能となっており、折り戸２０の下端面と床面との間には若干の隙間が設けられている。
【００２６】
前記トイレ１の開口部１ａの幅から折り畳んだ状態の折り戸２０の厚さを減じた長さＬ１は、車椅子８の幅Ｌ２より長くなっている。これによって、車椅子８は開口部１ａを容易に通ることができる。
また、トイレ１の幅および長さが住宅の製作時の基準寸法であるモジュール（Ｍ）の整数倍に設定されている。具体的には、トイレ１の幅Ｗは１Ｍ（モジュール）、長さＬは２Ｍ（モジュール）に設定されている。モジュールとは、建造物のあらゆる部分を一定の大きさの倍数関係に整えようとするときの基準となる寸法のことをいい、例えば１モジュールを基準寸法とすると、１モジュールの長さとして、８００ｍｍ，９００ｍｍ，９１０ｍｍ，１０００ｍｍなどが使用される。
なお、トイレ１内には便器２１が床に設置されており、手摺２２、手洗い台２３が内壁に取り付けられている。
【００２７】
本実施の形態によれば、居室２とトイレ１とを仕切る壁に、トイレ１に出入りするための開口部１ａが設けられており、この開口部１ａの縁部に当該開口部１ａを開閉する折り戸２０が取り付けられているので、開口部１ａを容易に開閉できるとともに、折り戸２０はトイレ１の両側の通路の出入口に位置することがないので、通路の行き来を妨げることがない。
また、開口部１ａの幅から折り畳んだ状態の折り戸２０の厚さを減じた長さが車椅子８の幅より長くなっているので、開口部１ａを車椅子８によって容易に通ることができる。
【００２８】
また、第１折り戸部材２０ａと第２折り戸部材２０ｂとを畳んで、開口部１ａを全開状態にすると、第１折り戸部材２０ａがトイレ１内の壁に沿ってトイレ１内に位置し、第２折り戸部材２０ｂは第１の折り戸部材２０ａと平行となって端部が開口部１ａから居室２側に突出する。
トイレ１内に位置する第１折り戸部材２０ａの幅は第２折り戸部材２０ｂの幅より小さいので、折り畳んだ折り戸２０のトイレ内に位置する部分を小さくでき、よって、トイレ１内に手洗い台２３等を設置し易くなる。
また、第２折り戸部材２０ｂの端部が開口部１ａから突出するので、介護者等がトイレ１の外側の居室２から折り戸２０を閉じ易くなる。
【００２９】
さらに、折り戸２０が吊戸であるので、開口部１ａが位置する床面に凹凸を無くすることがき、よって、車椅子８でのトイレ１への出入りが行い易くなる。
また、トイレ１の幅および長さがモジュールの整数倍に設定されているので、住宅内でのトイレ１の位置を容易に決めることができ、また、モジュールの整数倍で幅が決められた折り戸２０をトイレの幅に合せて容易に選択できる。
加えて、住宅の平面視におけるほぼ中央部にトイレ１が配置されているので、高齢者や被介護者が住宅内のどの位置に居ても、トイレ１に最短距離で直ぐに行ける。
また、トイレ出入口前の通路６の延長上に、洗面室１０の出入口１０ａと、浴室１１の出入口１１ａとが一直線上に配置されているので、トイレ１から出て直ぐに洗面室１０で手洗い等を行え、また、トイレ出入口前の通路６から一直線で洗面室１０、浴室１１まで行けるので、車椅子を必要とする高齢者や被介護者にとって非常に使い勝手がよくなる。
また、洗面室１０の出入口１０ａと浴室１１の出入口１１ａとの双方を開放しておくことによって、風の抜けがよくなり、洗面室１０や浴室１１を快適に保つことができる。
【００３０】
さらに、玄関ホール１２ｂとキッチン１７との境界にある出入口１８と、キッチン１７と居室２との境界にある出入口１９とが一直線上に配置されているので、玄関ホール１２ｂと居室２との間を一直線で行き来でき、車椅子を必要とする高齢者や被介護者にとって非常に使い勝手がよくなる。
また、車椅子のままでキッチン１７で作業をしていても、直ぐに玄関ホール１２ｂや居室２に出入できる。
【００３１】
図３は、トイレ１の開口部１ａを開閉する折り戸の構成を変更したものを示している。折り戸２５も、前記折り戸２０と同様に、二枚の第１折り戸部材２５ａと第２折り戸部材２５ｂによって構成されており、これら第１折り戸部材２５ａと第２折り戸部材２５ｂとは、ヒンジ２５ｃによって回動可能に連結されている。
また、第１折り戸部材２５ａの幅が、第２折り戸部材２５ｂの幅より長くなっている。具体的には、第１折り戸部材２５ａの幅は、第２折り戸部材２５ｂの幅の約２倍となっている。
また、第１折り戸部材２５ａの側端部が開口部１ａの一方の縦縁部に回動可能に連結されている。
このような折り戸２５では、第１折り戸部材２５ａと第２折り戸部材２５ｂとを畳んで、開口部１ａを全開状態にすると、第１折り戸部材２５ａおよび第２折り戸部材２５ｂがトイレ１内の壁に沿ってトイレ１内に位置し、トイレ１の開口部１ａから居室２側に突出することがない。
したがって、第１折り戸部材２５ａと第２折り戸部材２５ｂとを畳んで、開口部１ａを全開状態した際に、折り戸２０が居室２の邪魔になることがない。
【符号の説明】
【００３２】
１  トイレ
２  居室
８  車椅子
２０，２５  折り戸
２０ａ，２５ａ  第１折り戸部材
２０ｂ，２５ｂ  第２折り戸部材
【図１】
2011196034.tif 000003
【図２】
2011196034.tif 000004
【図３】
2011196034.tif 000005